(57)【特許請求の範囲】
【請求項１】
二つのクラスプユニットを備え、
前記クラスプユニットのそれぞれは、相互に連結されて一つの装飾形状が形成可能であって、相互に連結するための磁力を利用した結合手段を備え、
前記磁力を利用した結合手段は、前記クラスプユニットが相互に連結する面に、それぞれ２個ずつが配置されたマグネット材であって、当該２個ずつのマグネット材は、前記連結する面のそれぞれにおいて、互いに相対する位置に配置され、前記クラスプユニットのそれぞれにおいて隣接する前記マグネット材は、それぞれ異なる表面磁極を有し、
前記クラスプユニットのそれぞれは、受け入れ部材と、前記連結する面の背面側に配置された押しボタンを有する係止部材と、を有するケースと、前記係止部材に係脱する係止溝を有する係止ピンと、を備え、
前記クラスプユニットのそれぞれは、前記磁力を利用した結合手段で相互に連結し、二連のアクセサリを形成することが可能なことを特徴とするクラスプ。
【請求項２】
複数のクラスプユニットを備え、
前記クラスプユニットのそれぞれは、相互に連結するための磁力を利用した結合手段を備え、
前記磁力を利用した結合手段は、前記クラスプユニットが相互に連結する面に、それぞれ２個ずつが配置されたマグネット材であって、当該２個ずつのマグネット材は、前記連結する面のそれぞれにおいて、互いに相対する位置に配置され、前記クラスプユニットのそれぞれにおいて隣接する前記マグネット材は、それぞれ異なる表面磁極を有し、
前記クラスプユニットのそれぞれは、弾性を有する挿入部材と、前記挿入部材を係止するための係止溝を有するケースと、を備え、
前記クラスプユニットのそれぞれは、磁力を利用した結合手段で相互に連結し、少なくとも３連のアクセサリを形成することが可能なことを特徴とするクラスプ。
【請求項３】
請求項１または請求項２に記載のクラスプを備えたアクセサリ。
【発明の詳細な説明】
【技術分野】
【０００１】
本発明はクラスプに関し、より詳細には、ネックレス、ブレスレット等の各種アクセサリに適用されるクラスプに関する。
【背景技術】
【０００２】
従来、ネックレス、ブレスレットなどのアクセサリは、単連で着用する場合と、二連、三連等の多連で着用する場合があり、それぞれ着用する連数に応じて専用のアクセサリが必要となる。しかし、需要者の間では、単連のアクセサリを自由に組み合わせて多連として使用できる構造が望まれている。
【０００３】
特許文献１は、単連および多連の相互変更が可能な止金具（クラスプ）を開示している。この文献に記載のクラスプは、両端部に複数の結合部材を備えているため、任意の数の結合部材に装飾品を結合することで単連から多連までのアクセサリを自由に形成することができる。
【先行技術文献】
【特許文献】
【０００４】
【特許文献１】特開平８−１０７８０５（図１および図２）
【発明の概要】
【発明が解決しようとする課題】
【０００５】
上述の特許文献１の図１および図２に示すクラスプを用いて単連のアクセサリを形成する場合、クラスプ部分をペンダントヘッドとして使用するならば問題ないが、単に接続部材として使用するには外形が大き過ぎてしまう。そのため、アクセサリの連数に応じてクラスプの外形の大きさが可変できることが好ましい。
【０００６】
本発明は上述の不都合を斟酌して創案されたものであり、本発明の目的は、単連および多連のアクセサリを自由に形成可能なクラスプであって、アクセサリの連数に応じて外形の大きさが可変できるクラスプを提供することである。
【課題を解決するための手段】
【０００７】
前記課題を解決するために創案された請求項１の発明に係るクラスプは、二つのクラスプユニットを備え、クラスプユニットのそれぞれは、相互に連結されて一つの装飾形状が形成可能であって、相互に連結するための磁力を利用した結合手段を備え、磁力を利用した結合手段は、クラスプユニットが相互に連結する面に、それぞれ２個ずつが配置されたマグネット材であって、２個ずつのマグネット材は、連結する面のそれぞれにおいて、互いに相対する位置に配置され、クラスプユニットのそれぞれにおいて隣接するマグネット材は、それぞれ異なる表面磁極を有し、クラスプユニットのそれぞれは、受け入れ部材と、連結する面の背面側に配置された押しボタンを有する係止部材と、を有するケースと、前記係止部材に係脱する係止溝を有する係止ピンと、を備え、
前記クラスプユニットのそれぞれは、前記磁力を利用した結合手段で相互に連結し、二連のアクセサリを形成することが可能なことを特徴とする。
【０００８】
前記課題を解決するために創案された請求項２の発明に係るクラスプは、複数のクラスプユニットを備え、クラスプユニットのそれぞれは、相互に連結するための磁力を利用した結合手段を備え、磁力を利用した結合手段は、クラスプユニットが相互に連結する面に、それぞれ２個ずつが配置されたマグネット材であって、２個ずつのマグネット材は、連結する面のそれぞれにおいて、互いに相対する位置に配置され、クラスプユニットのそれぞれにおいて隣接するマグネット材は、それぞれ異なる表面磁極を有し、クラスプユニットのそれぞれは、弾性を有する挿入部材と、前記挿入部材を係止するための係止溝を有するケースと、を備え、クラスプユニットのそれぞれは、磁力を利用した結合手段で相互に連結し、少なくとも３連のアクセサリを形成することが可能なことを特徴とする。
【０００９】
前記課題を解決するために創案された請求項３の発明は、上記した請求項１または請求項２に記載のクラスプを備えたアクセサリである。
【発明の効果】
【００１０】
本発明クラスプは相互連結可能な複数のクラスプユニットから構成されているため、クラスプユニットを組み合わせることで任意の連数のアクセサリを自由に形成することができる。また、それぞれクラスプユニットの連結はマグネット手段によって行われるため、容易に連結および分離が可能である。
【図面の簡単な説明】
【００１１】
【図１】本発明の第１の実施形態に係るクラスプを示す図であって、（ａ）は外形図であり、（ｂ）は断面図であり、（ｃ）はクラスプを構成するクラスプユニットの断面図であり、（ｄ）は（ｃ）のＡ−Ａ断面図である。
【図２】本発明の第１の実施形態の変形例に係るクラスプの外形を示す図である。
【図３】本発明の第１の実施形態の他の変形例に係るクラスプの外形を示す図である。
【図４】本発明の第２の実施形態に係るクラスプを示す図であって、（ａ）は外形図であり、（ｂ）は断面図であり、（ｃ）は（ｂ）のＢ−Ｂ断面図である。
【図５】本発明の第２の実施形態の変形例に係るクラスプの外形を示す図である。
【発明を実施するための形態】
【００１２】
［第１の実施形態］
図１ないし図３の添付図面を参照して、本発明の第１の実施形態に係るクラスプの構造を以下に詳細に説明する。
【００１３】
図１は、本発明の第１の実施形態に係るクラスプ１０を示している。図示のように、クラスプ１０は、それぞれの両端に真珠、水晶、貴金属などからなる複数のビーズ９０を連ねた２本の紐部材が接続されており、それにより２連のアクセサリを形成している。なお、本実施形態では、上述のようにクラスプ１０にビーズ９０の紐部材が接続されているが、代替え的に、各種金属からなるチェーンが接続されていてもよい。
【００１４】
図１（ｂ）は、図１（ａ）に示すクラスプ１０の断面を示す図である。このクラスプ１０は、第１のクラスプユニット２０と第２のクラスプユニット３０とから構成され、双方のクラスプユニットは対向する面にそれぞれマグネット材４０、５０を備えている。マグネット材４０、５０はそれぞれ異なる表面磁極を有するため、磁力により相互に引き付け合い、その結果、第１のクラスプユニット２０と第２のクラスプユニット３０とは相互に連結される。また、双方のクラスプユニットは磁力のみで連結されているため、簡単に分離させることもできる。
【００１５】
次に、図１（ｃ）および図１（ｄ）を参照して、クラスプユニットの構造について説明する。なお、第１および第２のクラスプユニット２０、３０は、マグネットの表面磁極が異なる以外は同一の構造を有するため、第１のクラスプユニット２０の構造のみを説明し、第２のクラスプユニット３０の構造の説明は省略する。
【００１６】
図１（ｃ）に示すように、第１のクラスプユニット２０は、主にケース本体１００と係止ピン１１０とから構成される。係止ピン１１０の一端（図３（ｃ）の右側）はビーズ９０を連ねる紐部材に連結し、他端は開口１２０に挿入しやすいように球面形状に形成されている。この係止ピン１１０は丸棒状に形成され、その先方付近には係止溝１１５が形成されている。
【００１７】
また、ケース本体１００は、受け入れ部材６０と、押しボタン７０を有する係止部材８０と、を含有する。受け入れ部材６０は、係止ピン１１０の挿入を案内する筒状の中空部材である。受け入れ部材６０の下側には係止部材８０の係止部８０ｂが受け入れ部材６０内部に突出するように形成されている。係止部材８０は、押しボタン７０と略Ｕ字形板８０ａとが一体に成形され、係止ピン１１０の係止溝１１５に係脱する。そして、押しボタン７０はコイルバネ７５を収納できるように中空状に形成されており、コイルバネ７５の弾性により係止部材８０は上下運動する。コイルバネ７５は、押しボタン７０の中に収納されており、ユーザがこの押しボタン７０を指先で押圧することにより、コイルバネ７５が撓み、係止部材８０が下方に移動して、係止ピン１１０の係止溝１１５から離脱する。通常はコイルバネ７５の弾性力で係止部材８０は押し上げられ、その係止部８０ｂが受け入れ部材６０の切欠に嵌入した状態で規制される。また、係止部材８０に押圧（押し下げ）力が作用すると、コイルバネ７５の付勢力に抗して略Ｕ字形板８０ａが下がり、係止部８０ｂが受け入れ部材６０の切欠から下降し、係止ピン１１０の係止溝１１５から離脱する。
【００１８】
以上のような構造を有する第１および第２のクラスプユニット２０、３０は、図１（ａ）に示すように相互に連結して二連のアクセサリ用のクラスプ１０を構成しているが、マグネット材４０、５０により接続されているため容易に分離させることができる。しがたって、第１および第２のクラスプユニット２０、３０を分離させ、それぞれ一連のアクセサリ用のクラスプとして使用することが可能である。すなわち、クラスプ１０により、ユーザは状況に合わせて適宜一連および二連のアクセサリを使い分けることができる。
【００１９】
また、第１および第２のクラスプユニット２０、３０は、相互に表面磁極の異なるマグネット材４０、５０を有しているが、本発明はこの構造に限定されるものではない。代替え的に、当該クラスプユニットの一方のみマグネット材を有し、他方はマグネットの代わりに鉄などの強磁性体からなる部材を備えてもよい。
【００２０】
次に、図２および図３を参照して、第１の実施形態の変形例について説明する。図２は、第１の実施形態の変形例に係るクラスプ２００を示す。このクラスプ２００を構成する第１のクラスプユニット２１０および第２のクラスプユニット２２０は、それぞれ２つのマグネット材を有している。具体的には、第１のクラスプユニット２１０はマグネット材２３０ａ、２３０ｂを有し、第２のクラスプユニット２２０はマグネット材２４０ａ、２４０ｂを有する。
【００２１】
本変形例において、マグネット材２３０ａと２３０ｂ、および２４０ａと２４０ｂは、それぞれ異なる表面磁極を有することが可能である。例えば、第１のクラスプユニット２１０のマグネット材２３０ａの表面磁極がＮ極ならば、マグネット材２３０ｂの表面磁極はＳ極となる。その場合、当然ながら、第２のクラスプユニット２２０のマグネット材２４０ａの表面磁極はＳ極で、マグネット材２４０ｂの表面磁極はＮ極となる。
【００２２】
このように、相互に異なる表面磁極を有する２ペアのマグネット材を用いている場合には、第１のクラスプユニット２１０と第２のクラスプユニット２２０とが常に一定の向きで連結される。そのため、図３のクラスプ３００のようにクラスプユニットの片面に所定のパターンが施されている、あるいは、クラスプが左右非対称の特定の形状を有する等、クラスプ３００が装飾部としての機能を果たす場合により好適に適用することができる。
【００２３】
また、クラスプ１０を構成する各部材の材料は特定のものに限定されるものではなく、各種マグネット、金属、樹脂等の任意の材料を用いてよい。ただし、マグネット材による連結に影響を与えないように、マグネット材以外の部分には強磁性体の材料を使用しない必要がある。同様に、各部材の製法も削り、張り合わせ、エッチング、金型やプレス機を用いたモールド加工等、任意の加工手法を用いてよい。
【００２４】
［第２の実施形態］
図４および図５を参照して、以下に本発明の第２の実施形態に係るクラスプについて説明する。図４（ａ）は、第２の実施形態のクラスプ４００を示している。図示のように、クラスプ４００は、それぞれの両端に真珠、水晶、貴金属などからなる複数のビーズ４９０を連ねた３本の紐部材が接続されており、それにより３連のアクセサリを形成している。なお、本実施形態では、上述のようにクラスプ４００にビーズ４９０の紐部材が接続されているが、代替え的に、各種金属からなるチェーンが接続されていてもよい。
【００２５】
図４（ｂ）は、図４（ａ）に示すクラスプ４００の断面を示す図である。このクラスプ４００は、第１のクラスプユニット４１０と、第２のクラスプユニット４２０と、第３のクラスプユニット４３０と、から構成され、それぞれのクラスプユニットは上下の面にマグネット材を備えている。具体的には、第１のクラスプユニット４１０は、第１のマグネット材４１１と、第２のマグネット材４１２とを備え、第２のクラスプユニット４２０は、第１のマグネット材４２１と、第２のマグネット材４２２とを備え、第３のクラスプユニット４３０は、第１のマグネット材４３１と、第２のマグネット材４３２とを備える。
【００２６】
それぞれの第１のマグネット材と第２のマグネット材の表面磁極は異なっており、さらに、第１のクラスプユニット４１０の第２のマグネット材４１２と第２のクラスプユニット４２０の第１のマグネット材４２１と、第２のクラスプユニット４２０の第２のマグネット材４２２と第３のクラスプユニット４３０の第１のマグネット材４３１と、はそれぞれ異なる表面磁極を有している。そのため、第１および第２のクラスプユニット４１０、４２０、並びに第２および第３のクラスプユニット４２０、４３０がそれぞれ磁力により相互に引き付け合い、その結果、第１のクラスプユニット４１０ないし第３のクラスプユニット４３０は相互に連結される。また、それぞれのクラスプユニットは、磁力のみで連結されているため、簡単に分離させることもできる。
【００２７】
次に、図４（ｃ）を参照して、クラスプユニットの構造について説明する。なお、第１のクラスプユニット４１０ないし第３のクラスプユニット４３０は、同一の構造を有するため、第３のクラスプユニット４３０の構造のみの説明し、他のクラスプユニットの構造の説明は省略する。
【００２８】
図４（ｃ）に示すように、第３のクラスプユニット４３０は、ケース本体５００と弾性を有する挿入部材６００とから構成される。ケース本体５００は中空の部材であり、図面の右側に挿入部材６００を挿入するための開口５１０を有する。また、開口の上部には挿入部材６００を係止するための係止溝が形成されている。挿入部材６００は板ばねで形成されており、図示のように略「く」の字形状を有する。この挿入部材を開口５１０に挿入すると、当該挿入部材は撓んだ状態でケース本体５００の内部に進行し、やがて自身の弾性力で開口５１０の係止溝に係合して係止される。挿入部材６００をケース本体５００から取り外す場合には、ユーザが挿入部材６００の下部を指で押上げて、この状態で当該挿入部材をケース本体５００から離れる方向に引き抜けばよい。
【００２９】
次に、図５を参照して第２の実施形態の変形例について説明する。図５は、第２の実施形態の変形例に係るクラスプ７００を示す。このクラスプ７００を構成する第１のクラスプユニット７１０と、第２のクラスプユニット７２０と、第３のクラスプユニット７３０とは、それぞれ４つのマグネット材を有している。具体的には、第１のクラスプユニット７１０は第１のマグネット材７１１ａ、７１１ｂと、第２のマグネット材７１２ａ、７１２ｂとを有し、第２のクラスプユニット７２０は第１のマグネット材７２１ａ、７２１ｂと、第２のマグネット材７２２ａ、７２２ｂとを有し、第３のクラスプユニット７３０は第１のマグネット材７３１ａ、７３１ｂと、第２のマグネット材７３２ａ、７３２ｂとを有する。
【００３０】
隣接するマグネット材はそれぞれ異なる表面磁極を有することが好ましい。例えば、第１のクラスプユニット７１０の第２のマグネット材７１２ａの表面磁極がＮ極ならば、第２のマグネット材７１２ｂの表面磁極はＳ極となる。その場合、当然ながら、第２のクラスプユニット７２０の第１のマグネット材７２１ａの表面磁極はＳ極で、第１のマグネット材７２１ｂの表面磁極はＮ極となる。
【００３１】
第２の実施形態の変形例のクラスプ７００では、クラスプユニット間の接続に２ペアのマグネット材を用いているため、第１のクラスプユニット７１０と、第２のクラスプユニット７２０と、第３のクラスプユニット７３０とが常に一定の向きで連結される。したがって、クラスプユニットの片面に所定のパターンが施されている、あるいは、クラスプが左右非対称の特定の形状を有する等、クラスプ７００が装飾部としての機能を果たす場合により好適に適用することができる。
なお、本実施形態のクラスプ４００および７００は、三連のアクセサリを形成しているが、連数は３に限定されるものではなく、任意の連数のアクサセリを形成してよい。
【００３２】
上述の第１の実施形態のクラスプ１０、２００を構成するクラスプユニットは押しボタンが必要なため、ケース本体の構造に制約を受け、片側にしたマグネット材を設けることができない。そのため、クラスプ１０は、一連または二連のアクセサリしか形成することができない。
一方、第２の実施形態のクラスプ４００、７００を構成するクラスプユニットは押しボタンが不要のため、ケース本体の構造に制約を受けない。それゆえ、ケース本体の任意の側面にマグネット材を設けることが可能となる。したがって、クラスプ４００は、任意の連数のアクサセリを形成することができる。
【００３３】
以上、本発明を図面に示した実施形態を用いて説明したが、これらは例示的なものに過ぎず、本技術分野の当業者ならば、本発明の範囲および趣旨から逸脱しない範囲で多様な変更および変形が可能なことは理解できるであろう。したがって、本発明の範囲は、説明された実施形態によって定められず、特許請求の範囲に記載された技術的趣旨により定められねばならない。
【符号の説明】
【００３４】
１０，２００，３００，４００，７００  クラスプ
２０，２１０，４１０  第１のクラスプユニット
３０，２２０，４２０  第２のクラスプユニット
４０，５０，２３０ａ，２３０ｂ，２４０ａ，２４０ｂ  マグネット材
６０    受け入れ部材
７０    押しボタン
７５    コイルバネ
８０    係止部材
８０ａ  略Ｕ字形板
８０ｂ  係止部
９０，４９０  ビーズ
１００，５００  ケース本体
１１０  係止ピン
１１５  係止溝
１２０，５１０  開口
４１１，４２１，４３１，７１１ａ，７１１ｂ，７２１ａ，７２１ｂ，７３１ａ，７３１ｂ  第１のマグネット材
４１２，４２２，４３２，７１２ａ，７１２ｂ，７２２ａ，７２２ｂ，７３２ａ，７３２ｂ  第２のマグネット材
４３０  第３のクラスプユニット
６００  挿入部材
【図１】
0005568256.tif 000002
【図２】
0005568256.tif 000003
【図３】
0005568256.tif 000004
【図４】
0005568256.tif 000005
【図５】
0005568256.tif 000006